(57)【要約】【課題】性能の低下が抑制されたアウターロータ型モータ及びそれを備えた送風装置を提供することを課題とする。【解決手段】軸受の内周面は、回転軸に摺接する第１及び第２摺接領域、前記回転軸の軸方向で前記第１及び第２摺接領域の間に位置し前記第１及び第２摺接領域と比較して前記回転軸から離れた退避領域、を含み、前記軸受の外周面は、ハウジングの一部分から押圧される被押圧領域を含み、前記退避領域は、前記被押圧領域に対して前記軸方向に直交する方向に位置し、前記被押圧領域の前記軸方向での両端は、前記退避領域の前記軸方向での両端の間に位置する、アウターロータ型モータ。【選択図】図４
2017070123.tif 000002
【特許請求の範囲】
【請求項１】
円筒状のハウジングと、
前記ハウジングの内周面に部分的に当接して圧入された軸受と、
前記ハウジングの外周面に部分的に当接して設置された環状のステータと、
前記ステータに巻回されたコイルと、
前記軸受に回転可能に支持された回転軸と、
前記回転軸の先端に固定されたヨークと、
前記ヨークに固定されて前記ステータとの間に磁力が作用する永久磁石と、を備え、
前記軸受の内周面は、前記回転軸に摺接する第１及び第２摺接領域、前記回転軸の軸方向で前記第１及び第２摺接領域の間に位置し前記第１及び第２摺接領域と比較して前記回転軸から離れた退避領域、を含み、
前記軸受の外周面は、前記ハウジングの一部分から押圧される被押圧領域を含み、
前記退避領域は、前記被押圧領域に対して前記軸方向に直交する方向に位置し、
前記被押圧領域の前記軸方向での両端は、前記退避領域の前記軸方向での両端の間に位置する、アウターロータ型モータ。
【請求項２】
前記ハウジングは、金属製の板を絞り加工することにより成形されており、
前記ハウジングの前記内周面は、前記軸受の前記被押圧領域を押圧する押圧領域を含み、
前記ハウジングの前記外周面は、前記ステータの内周面に当接した当接領域を含み、
前記ハウジングの前記押圧領域と前記当接領域とは、前記軸方向を含む断面で前記ハウジングを見た場合に段状に形成された段部によって画定される、請求項１のアウターロータ型モータ
【請求項３】
前記ハウジングの前記外周面は、前記当接領域から径方向外側に連続し前記ステータの底面に対向しつつ前記ステータの前記底面から退避した凹領域、前記凹領域から当該ハウジングの径方向外側に連続して前記ステータの前記底面を支持する凸領域、を含む、請求項２のアウターロータ型モータ。
【請求項４】
請求項１乃至３の何れかのアウターロータ型モータと、
前記ヨークに固定されたファンと、
前記ファンの回転により空気が流通する第１及び第２開口を含み、前記アウターロータ型モータ及びファンを収納し、スクロール状に形成されたケースと、を備えた送風装置。
【発明の詳細な説明】
【技術分野】
【０００１】
本発明は、アウターロータ型モータ及び送風装置に関する。
【背景技術】
【０００２】
特許文献１には、回転軸を支持する軸受が圧入されたハウジングを備えたアウターロータ型モータが開示されている。
【先行技術文献】
【特許文献】
【０００３】
【特許文献１】特許第４８６１０２３号
【発明の概要】
【発明が解決しようとする課題】
【０００４】
軸受がハウジングに圧入されることにより、軸受の内径が縮小して、軸受に対する回転軸の摺動抵抗が増大し、アウターロータ型モータの性能が低下する可能性がある。
【０００５】
そこで本発明は、性能の低下が抑制されたアウターロータ型モータ及びそれを備えた送風装置を提供することを目的とする。
【課題を解決するための手段】
【０００６】
上記目的は、円筒状のハウジングと、前記ハウジングの内周面に部分的に当接して圧入された軸受と、前記ハウジングの外周面に部分的に当接して設置された環状のステータと、前記ステータに巻回されたコイルと、前記軸受に回転可能に支持された回転軸と、前記回転軸の先端に固定されたヨークと、前記ヨークに固定されて前記ステータとの間に磁力が作用する永久磁石と、を備え、前記軸受の内周面は、前記回転軸に摺接する第１及び第２摺接領域、前記回転軸の軸方向で前記第１及び第２摺接領域の間に位置し前記第１及び第２摺接領域と比較して前記回転軸から離れた退避領域、を含み、前記軸受の外周面は、前記ハウジングの一部分から押圧される被押圧領域を含み、前記退避領域は、前記被押圧領域に対して前記軸方向に直交する方向に位置し、前記被押圧領域の前記軸方向での両端は、前記退避領域の前記軸方向での両端の間に位置する、アウターロータ型モータによって達成できる。
【０００７】
また、上記目的は、上記のアウターロータ型モータと、前記ヨークに固定されたファンと、前記ファンの回転により空気が流通する第１及び第２開口を含み、前記アウターロータ型モータ及びファンを収納し、スクロール状に形成されたケースと、を備えた送風装置によっても達成できる。
【発明の効果】
【０００８】
本発明によれば、性能の低下が抑制されたアウターロータ型モータ及びそれを備えた送風装置を提供できる。
【図面の簡単な説明】
【０００９】
【図１】図１は、本実施例の送風装置の外観図である。
【図２】図２は、本実施例の送風装置の断面図である。
【図３】図３は、図２の部分拡大図である。
【図４】図４は、図３の部分拡大図である。
【発明を実施するための形態】
【００１０】
図１は、本実施例の送風装置Ａの外観図である。図２は、送風装置Ａの断面図である。送風装置Ａは、上ケース１０、下ケース２０、ファン８０等を含む。上ケース１０、下ケース２０は、互いにファン８０の軸方向から組み付けられ固定されている。上ケース１０、下ケース２０は、協働で単一のスクロール状のケースを画定する。上ケース１０、下ケース２０は、合成樹脂製である。上ケース１０は、周壁部１２、上壁部１４、突出壁部１８を含む。周壁部１２は、ファン８０の外周部を包囲し、略円筒形状である。上壁部１４は、周壁部１２に連続しファン８０よりも軸方向上側に位置する。尚、軸方向とは、ファン８０の回転の中心軸の方向を意味する。上壁部１４には、ファン８０の回転により空気が通過する開口１５ａが形成されている。開口１５ａからはファン８０の上部が露出している。上壁部１４には、開口１５ａから露出したファン８０を保護するための３つの桟部１６が、開口１５ａの中心から径方向外側に延びるように設けられている。尚、開口１５ａには、上壁部１４および桟部１６と一体に成形された防塵用フィルターが設けられていてもよい。突出壁部１８は、周壁部１２及び上壁部１４から部分的に径方向外側に延びている。
【００１１】
下ケース２０は、周壁部２２、底壁部２４、突出壁部２８を含む。周壁部２２は、ファン８０の外周部を包囲し、略円筒形状である。周壁部１２、２２は、互いに固定されている。底壁部２４は、周壁部２２に連続してファン８０よりも軸方向下側に位置する。底壁部２４の略中心には、開口２５が形成されている。開口２５は、地板１００により塞がれている。地板１００の略中心には、開口１０１が形成されている。開口１０１は、ハウジング６０及びスラストカバー１１０により塞がれている。地板１００は、ファン８０、ファン８０を回転させるモータＭを支持している。底壁部２４からは、モータＭに導通したケーブルＣＢが引き出されている。即ち、上ケース１０、下ケース２０内に、ファン８０、モータＭが収納されている。突出壁部２８は、周壁部２２及び底壁部２４から部分的に径方向外側に延びている。突出壁部１８、２８は互いに固定されている。突出壁部１８、２８には、単一の開口１５ｂを画定する。
【００１２】
ファン８０が回転することにより、開口１５ａ、１５ｂの一方から空気が吸引され、上ケース１０、下ケース２０内を空気が周り開口１５ａ、１５ｂの他方から排出される。このようにして、ファン８０が回転することにより開口１５ａ、１５ｂを空気が通過する。
【００１３】
送風装置Ａは、例えば、ハイブリット車両に搭載されたバッテリを冷却するために用いられる。このバッテリはハイブリット車両のエンジンによって駆動される発電機によって生成された電力を蓄えるために使用される。尚、送風装置Ａはこのような用途に限定されない。また、ファン８０が回転することにより、開口１５ａから空気が吸引され開口１５ｂから空気が排出されるが、これに限定されない。開口１５ｂから空気を吸引し開口１５ａから排出するように使用してもよい。
【００１４】
ファン８０は、ドーム部８４、フランジ部８６、羽根部８８、リング部８９を含む。ファン８０は、合成樹脂製である。ドーム部８４は、径方向外側に延び、径方向外側に延びるにつれて下側に延びている。ドーム部８４は、断面視で階段状に形成されている。
【００１５】
フランジ部８６は、ドーム部８４の下端部から径方向外側に延びている。フランジ部８６は、径方向外側に延びるに従って若干軸方向下側に傾斜している。羽根部８８は、フランジ部８６の外周端部から略円筒状に延びて形成され、複数の羽根から構成されている。隣接する羽根の間に空気が通過するように所定の間隔を空けて、複数の羽根が円状に設けられている。羽根は軸方向に延びている。上ケース１０の周壁部１２、下ケース２０の周壁部２２は羽根部８８の外周に位置する。リング部８９は、羽根部８８の上側の外周側に設けられており各羽根の上端部が接続されている。ファン８０が回転することにより、開口１５ａを介して羽根部８８を通過して上ケース１０、下ケース２０内に空気が導入され、周壁部１２、２２の内側に沿って空気が流れ、開口１５ｂから排出される。
【００１６】
モータＭについて説明する。モータＭは、コイル３０、ロータ４０、ステータ５０、ハウジング６０、プリント基板ＰＢ等を有している。ステータ５０は略環状であり金属製である。ステータ５０は、ハウジング６０の外周面に部分的に当接して設置されている。ハウジング６０、地板１００の内底面に固定されている。ハウジング６０内には、回転軸４２を回転可能に保持する軸受７０が圧入されている。軸受７０は、径方向よりも軸方向の長さが長く形成されている。
【００１７】
ステータ５０には、インシュレータＩを介して複数のコイル３０が巻回されている。コイル３０は、プリント基板ＰＢと電気的に接続されている。プリント基板ＰＢは、剛性を有した絶縁性の基板上に導電パターンが形成されたものである。プリント基板ＰＢは、地板１００の内面側に固定されて支持され、ハウジング６０が貫通した開口ＰＢ１が形成されている。プリント基板ＰＢには、コイル３０に電力を供給するための電子部品が実装されている。電子部品は、例えばコイル３０の通電状態を制御するためのＦＥＴ等の出力トランジスタ（スイッチング素子）やコンデンサ等である。また、電子部品は、例えばロータ４０の回転によって出力が変化する磁気センサであってもよい。プリント基板ＰＢには、ケーブルＣＢが導通接続されている。コイル３０が通電されることにより、ステータ５０が励磁される。
【００１８】
ロータ４０は、回転軸４２、ヨーク４４、１つまたは複数の永久磁石４６、を有している。回転軸４２は、軸受７０により回転可能に支持されている。回転軸４２の下方側の先端部は、スラスト受けＳを介してスラストカバー１１０により支持されている。回転軸４２の、軸受７０から下方に突出した先端部には、ダンパーワッシャーＤＷが取り付けられている。ダンパーワッシャーＤＷと軸受７０の下端部との間には、回転軸４２が貫通した状態でワッシャーＷが取り付けられている。回転軸４２の、ハウジング６０から上方に突出した先端部には、ヨーク４４が固定されており、ヨーク４４は回転軸４２と共に回転する。ヨーク４４は、略円筒状であり金属製である。ヨーク４４の上側にファン８０が固定されている。ヨーク４４の内周側面には、１つまたは複数の永久磁石４６が固定されている。永久磁石４６は、ステータ５０の外周面と対向している。コイル３０が通電されることにより、ステータ５０が励磁される。従って、永久磁石４６とステータ５０との間に磁気的吸引力、反発力が作用する。この磁力の作用により、ヨーク４４、即ち、ロータ４０はステータ５０に対して回転する。このように、モータＭはロータ４０が回転するアウターロータ型のモータである。ロータ４０が回転することにより、ファン８０が回転する。
【００１９】
図３は、図２の部分拡大図である。軸受７０は、内周面７０ａ及び外周面７０ｂを有し、内周面７０ａ側に回転軸４２が配置され、外周面７０ｂ側にハウジング６０が配置されている。詳しくは後述するが、軸受７０の内周面７０ａの一部分は、回転軸４２の外周面に摺接する。軸受７０は、上方側から下方側に、テーパ部７１及び基部７３が形成されている。テーパ部７１は、基部７３よりも外径が小さく、上方側に向かってその外径が小さくなるように形成されている。基部７３の外径は略一定である。テーパ部７１及び基部７３の内径については詳しくは後述する。尚、上方側とは、上ケース１０の空気が通過する開口１５ａが形成された側である。下方側とは、空気を通過させるための開口は形成されていない地板１００側である。
【００２０】
ハウジング６０は、内周面６０ａ及び外周面６０ｂを有し、内周面６０ａ側に軸受７０が配置され、外周面６０ｂ側にステータ５０等が配置されている。ハウジング６０は、上方側から下方側に、頂部６１、上段筒部６３、小段部６５、中段段部６６、下段筒部６７、下段段部６８、及び脚部６９が形成されている。ハウジング６０は、一枚の金属板を絞り加工することにより、上方側から下方側に径が拡大した略円筒状に成形されている。
【００２１】
頂部６１は、軸方向に垂直な円板状であり、回転軸４２が貫通する開口６１ａが形成されている。上段筒部６３は、頂部６１の外縁側から連続した円筒状である。小段部６５は、上段筒部６３の下方側に形成されている。小段部６５は、上方側から下方側にかけて、上段筒部６３よりも僅かに内径及び外径が拡大するように段状に形成されている。中段段部６６は、小段部６５の下方側近傍に形成され、上方側から下方側にかけて、小段部６５よりも内径及び外径が大きく拡大するように段状に形成されている。
【００２２】
下段筒部６７は、中段段部６６の外縁側から連続した円筒状である。下段段部６８は、下段筒部６７の下方側から径方向外側に延びて段状に形成され、下段段部６８の内面側にスラストカバー１１０が固定されている。脚部６９は、下段段部６８の外縁側から更に径方向外側に延びた円形状であり、開口１０１を塞ぐように地板１００の内底面に固定されている。詳しくは後述するが、上段筒部６３及び小段部６５の一部分は軸受７０に当接し、小段部６５の一部分はステータ５０の内周面５１に当接し、中段段部６６の一部分はステータ５０の底面５３に当接している。ステータ５０の底面５３は、地板１００側にあるステータ５０の面である。小段部６５、中段段部６６、及び下段段部６８は、軸方向を含む断面でハウジング６０を見た場合に段状に形成されている。
【００２３】
次に、軸受７０について詳細に説明する。図４は、図３の部分拡大図である。内周面７０ａには、上方側から下方側の順に摺接領域７１ａ、退避領域７３ａ、摺接領域７６ａが形成されている。換言すれば、退避領域７３ａは、軸方向で摺接領域７１ａ及び７６ａに挟まれる位置に形成されている。摺接領域７１ａは、テーパ部７１の内周面に相当し、摺接領域７６ａは、基部７３の内周面に相当する。退避領域７３ａは、テーパ部７１と基部７３との双方に亘って形成されている。摺接領域７１ａ及び７６ａの内径は同じであり、摺接領域７１ａ及び７６ａは回転軸４２の外周面に摺接する。退避領域７３ａの内径は、摺接領域７１ａ及び７６ａの各内径よりも大きい。このため、退避領域７３ａは、摺接領域７１ａ及び７６ａと比較して回転軸４２から退避しており、回転軸４２には摺接しない。従って、摺接領域７１ａ及び７６ａのそれぞれと回転軸４２の外周面との隙間よりも、退避領域７３ａと回転軸４２の外周面との隙間は大きく確保されている。退避領域７３ａの軸方向での長さをＬａとする。
【００２４】
外周面７０ｂには、上方側から下方側の順に傾斜領域７１ｂ、被押圧領域７３ｂ、離間領域７６ｂが形成されている。傾斜領域７１ｂは、テーパ部７１の外周面に相当する。被押圧領域７３ｂは、基部７３の上方側の外周面に相当する。離間領域７６ｂは、基部７３の下方側の外周面に相当する。傾斜領域７１ｂは、ハウジング６０から退避しており当接していない。被押圧領域７３ｂは、ハウジング６０の内周面６０ａに当接している。離間領域７６ｂと被押圧領域７３ｂとの外径は略同じであるが、ハウジング６０の下段筒部６７が離間領域７６ｂから退避するような形状であり、離間領域７６ｂはハウジング６０には当接していない。上述したように、ハウジング６０内に軸受７０が圧入されているため、ハウジング６０の押圧領域６３ａに当接している被押圧領域７３ｂは、ハウジング６０から径方向内側の押圧力を受ける。また、被押圧領域７３ｂの軸方向での長さをＬｂとする。
【００２５】
図４に示すように、被押圧領域７３ｂは、退避領域７３ａに対して径方向の外側、換言すれば、軸方向に直交する方向に位置している。また、退避領域７３ａの長さＬａは被押圧領域７３ｂの長さＬｂよりも長い。更に、退避領域７３ａの上端７３ａ１は被押圧領域７３ｂの上端７３ｂ１よりも上方にあり、退避領域７３ａの下端７３ａ２は被押圧領域７３ｂの下端７３ｂ２よりも下方にある。即ち、軸方向で、退避領域７３ａの上端７３ａ１と下端７３ａ２との間に被押圧領域７３ｂの上端７３ｂ１と下端７３ｂ２とが位置している。このため、ハウジング６０内への軸受７０の圧入によりハウジング６０から被押圧領域７３ｂが押圧力を受けて退避領域７３ａの内径が縮小するように変形したとしても、退避領域７３ａは回転軸４２の外周面には当接しにくい。
【００２６】
ここで、本実施例と異なり、摺接領域７１ａ及び７６ａと同じ内径の摺動部が退避領域７３ａの代わりに形成されている場合には、被押圧領域７３ｂが押圧力を受けて軸受７０の内径が縮小し、回転軸４２の摺動抵抗が増大する可能性がある。本実施例では、内周面６０ａ内に軸受７０が圧入された構成において、上述した位置に退避領域７３ａを形成することにより、被押圧領域７３ｂが径方向内側に押圧力を受けている場合であっても、退避領域７３ａと回転軸４２の外周面との当接が回避される。これにより、回転軸４２の摺動抵抗の増大が抑制され、モータＭの性能の低下が抑制される。よって、送風装置Ａの性能の低下も抑制される。
【００２７】
尚、退避領域７３ａが設けられることにより、軸受７０によって支持される回転軸４２の外周面の面積は減少している。しかしながら、軸受７０の上方と下方とに離れて配置され２つの摺接領域７１ａ及び７６ａが回転軸４２の外周面に摺接するので、回転軸４２は安定して支持され、回転軸４２の回転による振動や騒音の発生が抑制されている。
【００２８】
また、被押圧領域７３ｂは、図４及び図３に示すように軸受７０の外周の全周にわたって形成されており、ハウジング６０に押圧されている。このため、軸受７０は、ハウジング６０内で安定して保持され、ハウジング６０内で軸受７０が移動することが抑制されている。
【００２９】
次に、軸受７０及びステータ５０の径方向での位置精度の確保について説明する。図４に示すように、ハウジング６０の外周面６０ｂは、非当接領域６３ｂと、非当接領域６３ｂから下方側に連続して非当接領域６３ｂよりも外径が大きい当接領域６５ｂとを含む。小段部６５での内周面は、押圧領域６３ａと、押圧領域６３ａから下方側に連続して押圧領域６３ａよりも内径が大きい離間領域６５ａとにより画定される。小段部６５での外周面は、非当接領域６３ｂと当接領域６５ｂとにより画定される。押圧領域６３ａは軸受７０に当接しているのに対して、離間領域６５ａは軸受７０から離れている。非当接領域６３ｂはステータ５０から離れているのに対して、当接領域６５ｂはステータ５０の内周面５１の下方部分に当接している。従って、小段部６５の内周面のうち内径が小さい押圧領域６３ａと、小段部６５の外周面のうち外径が大きい当接領域６５ｂとにより、それぞれ軸受７０及びステータ５０の径方向の位置が規定されている。尚、ハウジング６０とステータ５０とは接着剤により固定されている。
【００３０】
上述したように、ハウジング６０は一枚の金属板を絞り加工することにより成形されている。ここで、例えば本実施例とは異なり、ハウジングの段部が形成されていない周壁部の一部分の内周面と外周面のそれぞれで軸受７０及びステータ５０の位置を規定する場合を想定する。この場合、軸受７０及びステータ５０の双方の径方向での位置の精度は、その部分での厚みに依存する。この部分の厚みは、ハウジングの材料である金属板の厚みに依存し、その部分の厚みを微調整することは困難である。このため、その部分の内周面及び外周面の一方の径方向の位置精度が良くても、他方の位置精度を確保することが困難である可能性がある。従って、軸受７０及びステータ５０の双方の径方向の位置精度を両立することが困難となる可能性がある。
【００３１】
本実施例では、小段部６５を画定する押圧領域６３ａ及び当接領域６５ｂにより、軸受７０及びステータ５０の径方向の位置を規定している。このため、ハウジング６０の材料である金属板の厚みに依存することなく、小段部６５を形成して押圧領域６３ａ及び当接領域６５ｂの径方向の位置精度を確保できる。従って、軸受７０及びステータ５０の双方の径方向の位置精度を確保することができる。
【００３２】
このため、軸受７０に対する径方向でのステータ５０の位置精度を確保できる。ここで、軸受７０は回転軸４２を支持し、回転軸４２にはヨーク４４に固定され、ヨーク４４には永久磁石４６が固定されている。このため、軸受７０に対する径方向でのステータ５０の位置精度を確保することにより、ステータ５０及び永久磁石４６間の径方向での位置精度を確保でき、モータＭの性能も確保できる。
【００３３】
また、単一のハウジング６０により、ステータ５０の径方向の位置が規定される。ここで、本実施例と異なり、ハウジング６０とそれ以外の部材、例えば、地板から部分的に上方側に延在した筒状の部材とにより、ステータ５０の径方向の位置を規定する場合を想定する。このように、複数の部材によりステータ５０の径方向の位置を規定すると、ステータ５０の位置精度を確保するためには、ステータ５０の位置を規定する複数の部材の成形精度や組付精度、位置精度を確保する必要がある。従って、ステータ５０の位置精度を確保することが困難となる可能性がある。本実施例では、単一のハウジング６０によりステータ５０の径方向の位置が規定されるため、ステータ５０の径方向の位置精度の確保が容易となる。また、地板１００は、ステータ５０の位置を規定する機能は有していないため、簡易な形状とすることができ、下ケース２０へ固定するための構造も簡易なものとすることができ、コストの増大が抑制される。
【００３４】
次に、ステータ５０の軸方向での位置精度の確保について説明する。図４に示すように、中段段部６６には凹領域６６ｂ、凸領域６６ｃが形成されている。凹領域６６ｂ及び凸領域６６ｃは、周方向に延びて形成されている。凹領域６６ｂは、当接領域６５ｂの下方側から径方向外側に連続してステータ５０の底面５３に対向しつつステータ５０の底面５３から退避している。凸領域６６ｃは、凹領域６６ｂからハウジング６０の径方向外側に連続してステータ５０の底面５３を支持している。凸領域６６ｃは、凹領域６６ｂよりも上方側に突出しており、ステータ５０の軸方向での高さ位置を規定している。尚、凸領域６６ｃの上方側の、ステータ５０の底面５３に当接する先端の高さ位置は、当接領域６５ｂと凹領域６６ｂとの境界であり湾曲し始める位置よりも高い位置にある。
【００３５】
ここで、本実施例と異なり、中段段部６６の代わりに図４において点線で示した中段段部６６ｘが形成されている場合を想定する。中段段部６６ｘは、凹領域６６ｂ及び凸領域６６ｃは有しておらず、当接領域６５ｂの下端から滑らかに径方向外側に延びるように湾曲して、再び下方側に湾曲して傾斜した外周面を有している。このように凸領域６６ｃが形成されていない場合、中段段部６６ｘは当接領域６５ｂの下端から徐々に径方向外側に拡大する。このように径方向外側に拡大している部分によって、ステータ５０の下方側の移動が規制されて、ステータ５０の軸方向での高さ位置が規定される。このため、ステータ５０の軸方向での高さ位置にバラつきが生じるおそれがある。また、ハウジング６０に対してステータ５０が傾斜した姿勢で支持される可能性もある。
【００３６】
これに対して本実施例では、予めステータ５０の高さ位置を規定するための凸領域６６ｃを形成されている。これにより、ステータ５０の軸方向での高さ位置の精度のバラつきを抑制し、ステータ５０が傾斜した姿勢で支持されることも抑制できる。以上のように、単一のハウジング６０により、ステータ５０の軸方向及び径方向の位置精度が確保されている。
【００３７】
また、図３に示すように、回転軸４２の軸方向の位置は、ハウジング６０に固定されたスラストカバー１１０と、スラスト受けＳとにより規定されている。即ち、単一のハウジング６０により、回転軸４２及びステータ５０の軸方向での位置精度が確保されている。このため、永久磁石４６及びステータ５０の軸方向での位置精度を確保でき、モータＭの性能も確保できる。
【００３８】
以上本発明の好ましい実施形態について詳述したが、本発明は係る特定の実施形態に限定されるものではなく、特許請求の範囲に記載された本発明の要旨の範囲内において、変形・変更が可能である。
【００３９】
上記実施例においては、モータＭを送風装置Ａに用いたがこれに限定されない。例えば、モータＭは、電化製品、乗物、遊戯機器、工作機器、繊維機器、印刷機械等に用いることができる。また、モータＭが用いられる装置は、業務用、家庭用を問わない。
【符号の説明】
【００４０】
Ａ  送風装置
Ｍ  モータ
１０  上ケース
１５ａ、１５ｂ  開口
２０  下ケース
３０  コイル
４０  ロータ
４２  回転軸
４６  永久磁石
５０  ステータ
６０  ハウジング
６０ａ  内周面
６０ｂ  外周面
６３ａ  押圧領域
６３ｂ  非当接領域
６５ａ  離間領域
６５ｂ  当接領域
６５  小段部（段部）
６６ｂ  凹領域
６６ｃ  凸領域
７０  軸受
７０ａ  内周面
７０ｂ  外周面
７１ａ、７６ａ  摺接領域
７３ａ  退避領域
７３ｂ  被押圧領域
７６ｂ  離間領域
８０  ファン
１００  地板
【図１】
2017070123.tif 000003
【図２】
2017070123.tif 000004
【図３】
2017070123.tif 000005
【図４】
2017070123.tif 000006